(57)【要約】【課題】ポータブル・プレーヤ等の携帯端末装置に記憶されたコンテンツデータをテレビジョン装置等の出力装置において再生する際に、操作性を向上したい。【解決手段】通信部８２は、少なくともひとつの映像データを格納可能なデータフォルダが複数記憶された携帯端末装置を接続する。フォルダ内移動制御部７４は、携帯端末装置でのデータフォルダ内において選択すべき映像データを変更させるための第１指示を受けつけ、第１指示を携帯端末装置へ出力する。フォルダ間移動制御部７６は、携帯端末装置での選択すべきデータフォルダを変更させるための第２指示を受けつけ、第２指示を携帯端末装置へ出力する。テレビ用モニタ部８０は、第１指示あるいは第２指示に対する応答として、前記接続部を介して、携帯端末装置において再生された映像データを携帯端末装置から入力し、再生された映像データを表示する。【選択図】図５
2009267954.tif 000002
【特許請求の範囲】
【請求項１】
少なくともひとつのコンテンツデータを格納可能なデータフォルダが複数記憶された携帯端末装置を接続する接続部と、
前記接続部において接続した前記携帯端末装置に対する第１指示であって、かつデータフォルダ内において選択すべきコンテンツデータを変更させるための第１指示を受けつけ、前記接続部を介して前記第１指示に応じたコンテンツデータの再生要求を前記携帯端末装置へ出力する第１受付部と、
前記接続部において接続した前記携帯端末装置に対する第２指示であって、かつ選択すべきデータフォルダを変更させるための第２指示を受けつけ、前記接続部を介して前記第２指示に応じたコンテンツデータの再生要求を前記携帯端末装置へ出力する第２受付部と、
前記第１受付部から出力したコンテンツデータの再生要求あるいは前記第２受付部から出力したコンテンツデータの再生要求に対する応答として、前記接続部を介して、前記携帯端末装置において再生されたコンテンツデータを前記携帯端末装置から前記接続部を介して入力し、再生されたコンテンツデータを出力する出力部と、
を備えることを特徴とする出力装置。
【請求項２】
前記第２受付部は、前記コンテンツデータの再生要求に対する応答として、前記接続部を介して前記携帯端末装置から、変更したデータフォルダにはコンテンツデータが格納されていない旨を入力した場合、前記接続部を介して前記携帯端末装置へ、さらに別のデータフォルダへの変更を指示することを特徴とする請求項１に記載の出力装置。
【請求項３】
前記出力部は、前記携帯端末装置に記憶された複数のデータフォルダのすべてにコンテンツデータが格納されていない場合、コンテンツデータが存在しない旨を出力することを特徴とする請求項１または２に記載の出力装置。
【請求項４】
少なくともひとつのコンテンツデータを格納可能なデータフォルダが複数記憶された携帯端末装置に対する第１指示であって、かつデータフォルダ内において選択すべきコンテンツデータを変更させるための第１指示を受けつけ、前記第１指示に応じたコンテンツデータの再生要求を前記携帯端末装置へ出力するステップと、
前記携帯端末装置に対する第２指示であって、かつ選択すべきデータフォルダを変更させるための第２指示を受けつけ、前記第２指示に応じたコンテンツデータの再生要求を前記携帯端末装置へ出力するステップと、
前記第１指示に応じたコンテンツデータの再生要求あるいは前記第２指示に応じたコンテンツデータの再生要求に対する応答として、前記携帯端末装置において再生されたコンテンツデータを前記携帯端末装置から入力し、再生されたコンテンツデータを出力するステップと、
を備えることを特徴とする、前記携帯端末装置が接続される出力装置における出力方法。
【発明の詳細な説明】
【技術分野】
【０００１】
本発明は、出力技術に関し、特にコンテンツデータを出力する出力装置および出力方法に関する。
【背景技術】
【０００２】
近年、ＭＰ３（ＭＰＥＧ  Ａｕｄｉｏ  Ｌａｙｅｒ−３）に代表される音声圧縮技術が使用されている。ＭＰ３は、元の容量の１０分の１程度まで容量を圧縮されるにもかかわらず、音楽ＣＤ（Ｃｏｍｐａｃｔ  Ｄｉｓｃ）と同等の音質にて再生される。また、ＭＰ３は、デジタル形式のデータであるので、パーソナルコンピュータ等において所定のソフトウエアプログラムを使用することによって再生される。ＭＰ３は、圧縮率が高いので、車載用再生装置にて再生ができれば、利用者にとってより好都合になる。しかしながら、車載用再生装置は、一般的に表示領域が小さいので、パーソナルコンピュータ等のように各楽曲データの一覧を表示できない。これに対応するために、例えば、表示対象のフォルダをモニタに表示した後に、上キー等が押下されたか否かに応じて、フォルダテーブル中のひとつ前またはひとつ後ろのフォルダ名がモニタに表示される（例えば、特許文献１参照）。
【特許文献１】特開２００１−２６５７９５号公報
【発明の開示】
【発明が解決しようとする課題】
【０００３】
ＭＰ３にて圧縮されたデータは、ポータブル・デジタル・オーディオ・プレーヤ（以下、「ポータブル・プレーヤ」という）においても再生される。また、近年、映像技術の進歩に伴い、ポータブル・プレーヤは、楽曲だけでなく映像も再生する。このようなポータブル・プレーヤに記憶された映像データを家庭のテレビジョン装置において再生したいという要求がある。ポータブル・プレーヤに記憶された映像データは、ＤＶＤ（Ｄｉｇｉｔａｌ  Ｖｅｒｓａｔｉｌｅ  Ｄｉｓｋ）において使用されているビデオ・フォーマットよりも小さなデータサイズを有する。そのため、ポータブル・プレーヤに記憶された映像データは、一般的に、アーチスト名、歌の題名、音楽のジャンルなどのような情報を記述するためのタグ・データやメタデータを含む。これら情報はユーザが映像データを選択する際にポータブル・プレーヤのモニタに表示される。テレビジョン装置の画面を使用して、ユーザが映像データを選択するためには、テレビジョン装置は、ポータブル・プレーヤ内の映像データのメタデータを取得し、これをテレビジョン装置内に用意したメモリに蓄積し、楽曲名等選択画面を表示する。映像データの量の増加に伴い、テレビジョン装置のシステムの負担は大きくなる。その結果、操作性が悪くするため、ユーザへのストレスが大きくなる。
【０００４】
本発明はこうした状況に鑑みてなされたものであり、その目的は、ポータブル・プレーヤ等の携帯端末装置に記憶されたコンテンツデータをテレビジョン装置等の出力装置において再生する際に、操作性を向上する技術を提供することである。
【課題を解決するための手段】
【０００５】
上記課題を解決するために、本発明のある態様の出力装置は、少なくともひとつのコンテンツデータを格納可能なデータフォルダが複数記憶された携帯端末装置を接続する接続部と、接続部において接続した携帯端末装置に対する第１指示であって、かつデータフォルダ内において選択すべきコンテンツデータを変更させるための第１指示を受けつけ、接続部を介して第１指示に応じたコンテンツデータの再生要求を携帯端末装置へ出力する第１受付部と、接続部において接続した携帯端末装置に対する第２指示であって、かつ選択すべきデータフォルダを変更させるための第２指示を受けつけ、接続部を介して第２指示に応じたコンテンツデータの再生要求を携帯端末装置へ出力する第２受付部と、第１受付部から出力したコンテンツデータの再生要求あるいは第２受付部から出力したコンテンツデータの再生要求に対する応答として、接続部を介して、携帯端末装置において再生されたコンテンツデータを携帯端末装置から接続部を介して入力し、再生されたコンテンツデータを出力する出力部と、を備える。
【０００６】
この態様によると、情報端末装置に記憶された複数のデータフォルダの構成を表示することなく、第１指示あるいは第２指示を受けつけた場合に、対応したコンテンツデータを自動的に表示するので、操作性を向上できる。
【０００７】
第２受付部は、コンテンツデータの再生要求に対する応答として、接続部を介して携帯端末装置から、変更したデータフォルダにはコンテンツデータが格納されていない旨を入力した場合、接続部を介して携帯端末装置へ、さらに別のデータフォルダへの変更を指示してもよい。この場合、コンテンツデータが格納されていない場合、さらに別のデータフォルダへの変更を指示するので、ユーザからの新たな指示を不要にできる。
【０００８】
出力部は、携帯端末装置に記憶された複数のデータフォルダのすべてにコンテンツデータが格納されていない場合、コンテンツデータが存在しない旨を出力してもよい。この場合、複数のデータフォルダのすべてにコンテンツデータが格納されていなければ、コンテンツデータが存在しない旨を出力するので、ユーザに状況を通知できる。
【０００９】
本発明の別の態様は、携帯端末装置が接続される出力装置における出力方法である。この方法は、少なくともひとつのコンテンツデータを格納可能なデータフォルダが複数記憶された携帯端末装置に対する第１指示であって、かつデータフォルダ内において選択すべきコンテンツデータを変更させるための第１指示を受けつけ、第１指示に応じたコンテンツデータの再生要求を携帯端末装置へ出力するステップと、携帯端末装置に対する第２指示であって、かつ選択すべきデータフォルダを変更させるための第２指示を受けつけ、第２指示に応じたコンテンツデータの再生要求を携帯端末装置へ出力するステップと、第１指示に応じたコンテンツデータの再生要求あるいは第２指示に応じたコンテンツデータの再生要求に対する応答として、携帯端末装置において再生されたコンテンツデータを携帯端末装置から入力し、再生されたコンテンツデータを出力するステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、ポータブル・プレーヤ等の携帯端末装置に記憶されたコンテンツデータをテレビジョン装置等の出力装置において再生する際に、操作性を向上できる。
【発明を実施するための最良の形態】
【００１２】
本発明を具体的に説明する前に、まず概要を述べる。本発明の実施例は、前述のポータブル・プレーヤのような携帯端末装置、テレビジョン装置、コントロール装置を含む映像表示システムに関する。ここで、携帯端末装置は、複数のフォルダを記憶し、フォルダには、映像データが格納されている。テレビジョン装置は、コントロール装置によって指示されたチャンネルにしたがって、テレビジョン放送を受信再生する。また、テレビジョン装置は、携帯端末装置に接続し、携帯端末装置によって再生された映像データ（以下、「再生データ」という）を入力し、再生データをモニタに表示する。このような状況下において、携帯端末装置に記憶された映像データを選択する際の操作性を向上するために、本実施例は、次の処理を実行する。
【００１３】
コントロール装置は、映像データの選択に関して、少なくとも２種類のボタンを備える。ひとつは、フォルダ内における映像データを変更すべき指示（以下、「フォルダ内移動の指示」という）を行うためのボタン（以下、「第１ボタン」という）であり、もうひとつは、フォルダを変更すべき指示（以下、「フォルダ間移動の指示」という）を行うためのボタン（以下、「第２ボタン」という）である。ユーザが第１ボタンを押し下げると、テレビジョン装置は、コントロール装置から、フォルダ内移動の指示を入力し、携帯端末装置へ、フォルダ内の別の映像データを再生するように指示する。携帯端末装置は、指示にしたがって、別の映像データを再生して、再生データをテレビジョン装置へ出力する。テレビジョン装置は、再生データをモニタに表示する。
【００１４】
一方、ユーザが第２ボタンを押し下げると、テレビジョン装置は、コントロール装置から、フォルダ間移動の指示を入力し、携帯端末装置へ、別のフォルダ内の映像データを再生するように指示する。携帯端末装置は、指示にしたがって、別のフォルダ内の映像データを再生して、再生データをテレビジョン装置へ出力する。テレビジョン装置は、再生データをモニタに表示する。ここで、テレビジョン装置は、複数のフォルダを番号（以下、「フォルダ番号」という）によって管理し、フォルダ番号のインクリメントあるいはデクリメントによってフォルダを移動させるので、モニタにリストを表示させることなく、フォルダ間の移動を実現する。
【００１５】
また、テレビジョン装置は、フォルダ間移動を実行する際、フォルダ内の映像データの有無を調査し、映像データが存在すればこれを携帯端末装置に再生させ、映像データが存在しなければ、当該フォルダをスキップして、さらに別のフォルダへ移動する。さらに、テレビジョン装置は、すべてのフォルダ内に映像データがなければ、モニタにその旨を表示する。つまり、本実施例では、テレビジョン装置のモニタを参照しながらの映像データ選択を必要とせず、コントロール装置のボタンのみで映像データが選択される。その結果、ユーザの操作性が向上される。
【００１６】
図１は、本発明の実施例に係る映像表示システム１００の構成を示す。映像表示システム１００は、携帯端末装置１０、テレビジョン装置１２、コントロール装置１４を含む。また、携帯端末装置１０は、端末用モニタ部３０を含み、テレビジョン装置１２は、テレビ用モニタ部８０を含む。
【００１７】
携帯端末装置１０は、例えば、ミュージック・プレーヤ、ＰＤＡ（Ｐｅｒｓｏｎａｌ  Ｄｉｇｉｔａｌ  Ａｓｓｉｓｔａｎｔｓ）に相当し、ユーザによって携帯される。携帯端末装置１０は、映像データを記憶しており、図示しないボタン等を介したユーザからの指示に応じて、再生データを端末用モニタ部３０に表示する。ここで、携帯端末装置１０は、複数のフォルダを記憶し、フォルダに映像データを格納している。なお、携帯端末装置１０は、映像データを再生するための機能の他に、音楽データを再生するための機能やスケジュールを管理するための機能等を有していてもよいが、ここでは説明を省略する。また、携帯端末装置１０は、テレビジョン装置１２に接続するための端子を備える。
【００１８】
コントロール装置１４は、無線信号にてテレビジョン装置１２に接続され、テレビジョン装置１２に対するユーザからの指示を受けつける。ユーザからの指示の一例は、ユーザが視聴を希望するチャンネルの選択指示である。コントロール装置１４は、受けつけた指示をテレビジョン装置１２へ送信する。テレビジョン装置１２は、テレビジョン放送の無線信号を受信し、番組を再生する。これに続いて、テレビジョン装置１２は、再生した番組をテレビ用モニタ部８０に表示する。また、テレビジョン装置１２は、コントロール装置１４からチャンネルの選択指示を入力し、選択指示に応じたチャンネルを再生する。さらに、テレビジョン装置１２は、携帯端末装置１０を接続するための端子を備える。
【００１９】
携帯端末装置１０が、テレビジョン装置１２に接続されると、テレビジョン装置１２は、携帯端末装置１０において再生された映像データをテレビ用モニタ部８０に表示する。テレビジョン装置１２と携帯端末装置１０における再生処理の詳細は後述するが、再生データの選択には、コントロール装置１４が使用される。コントロール装置１４には、前述の第１ボタンおよび第２ボタンも供えられており、第１ボタンあるいは第２ボタンをユーザが押し下げることによって、コントロール装置１４は、第１ボタンあるいは第２ボタンに応じた指示をテレビジョン装置１２へ出力する。テレビジョン装置１２は、入力した指示に応じた映像データの再生を携帯端末装置１０へ指示する。その際、テレビジョン装置１２は、携帯端末装置１０に記憶された複数のフォルダの構成をテレビ用モニタ部８０に表示しない。その結果、ユーザは、映像データを選択する際に、テレビ用モニタ部８０に表示された複数のフォルダの構成を参照せずにすむ。
【００２０】
図２は、携帯端末装置１０の構成を示す。携帯端末装置１０は、記憶部２０、通信部２２、制御部２４、再生部２６、指示部２８、端末用モニタ部３０を含む。記憶部２０は、ＳＤＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）等の記憶媒体によって構成されており、複数のフォルダを記憶する。以下では、フォルダを「カテゴリフォルダ」ともよぶ。また、各カテゴリフォルダには、少なくともひとつの映像データが格納可能である。
【００２１】
図３は、記憶部２０に記憶されたデータの構造を示す。図示のごとく、映像再生のカテゴリの中に、カテゴリ１フォルダ２００、カテゴリ２フォルダ２０２、カテゴリ３フォルダ２０４、カテゴリ４フォルダ２０６が並列に配置されている。ここで、カテゴリ１フォルダ２００、カテゴリ２フォルダ２０２、カテゴリ３フォルダ２０４、カテゴリ４フォルダ２０６には、フォルダ番号「１」、「２」、「３」、「４」が付与されている。また、カテゴリ１フォルダ２００は、映像データとしての第１映画データから第４映画データを格納する。映画データは、映像データの具体的な内容に相当する。
【００２２】
また、カテゴリ３フォルダ２０４は、映像データとしての第１ＴＶデータから第４ＴＶデータを格納する。ここで、カテゴリ２フォルダ２０２およびカテゴリ４フォルダ２０６は、映像データを格納していないが、映像データを格納可能である。なお、各映像データには、ＭＰＥＧ−４（Ｍｏｖｉｎｇ  Ｐｉｃｔｕｒｅ  Ｅｘｐｅｒｔｓ  Ｇｒｏｕｐ  ｐｈａｓｅ  ４）による符号化がなされているものとする。
【００２３】
図２の説明に戻り、指示部２８は、ユーザからの指示を受けつけ、受けつけた指示を制御部２４へ出力する。例えば、指示部２８は、ボタンを含むように構成されており、ユーザによってボタンが押し下げられたことを検出することによって、映像データ再生の指示をユーザから受けつける。なお、指示部２８は、再生すべき映像データの選択の指示もユーザから受けつける。さらに、指示部２８は、選択された映像データの再生指示を制御部２４へ出力する。制御部２４は、携帯端末装置１０全体の動作を制御する。制御部２４は、指示部２８からの再生指示を受けつけると、再生指示にしたがって、記憶部２０に記憶された映像データ、例えば、第１映画データを読み出す。また、制御部２４は、読み出した映像データを再生部２６へ出力する。
【００２４】
再生部２６は、制御部２４から映像データを入力し、映像データを再生する（以下、前述の通り、「再生データ」という）。前述のごとく、映像データには、ＭＰＥＧ−４による符号化がなされているので、再生部２６は、ＭＰＥＧ−４に対応した復号処理を映像データに実行する。ＭＰＥＧ−４に対応した復号処理には、公知の技術が使用されればよいので、ここでは説明を省略する。再生部２６は、再生データを端末用モニタ部３０へ出力する。端末用モニタ部３０は、再生部２６から再生データを入力し、再生データを表示する。通信部２２は、図示しないテレビジョン装置１２との通信を実行する。例えば、通信部２２は、制御部２４とテレビジョン装置１２との間の信号を中継する。また、通信部２２は、再生部２６からの再生データをテレビジョン装置１２へ出力する。
【００２５】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
図４は、コントロール装置１４の構成を示す。コントロール装置１４は、チャンネル指示部４０、フォルダ内移動指示部４２、第１フォルダ間移動指示部４６、第２フォルダ間移動指示部４８、制御部５０、送信部５２を含む。
【００２７】
チャンネル指示部４０は、ユーザから、テレビジョン装置１２において再生すべきチャンネルに関する指示を受けつける。チャンネル指示部４０は、ボタンを含むように構成されており、ユーザがボタンを押し下げることによって、再生すべきチャンネルに関する指示を受けつける。再生すべきチャンネルに関する指示とは、例えば、再生すべきチャンネルの番号（以下、「チャンネル番号」という）である。チャンネル指示部４０は、再生すべきチャンネルに関する指示を制御部５０へ出力する。フォルダ内移動指示部４２は、前述の第１ボタンを含むように構成されており、ユーザが第１ボタンを押し下げることによって、カテゴリフォルダ内において別の映像データへ再生対象を変更する指示を受けつける。当該指示が、前述の「フォルダ内移動の指示」に相当する。フォルダ内移動指示部４２は、フォルダ内移動の指示を制御部５０へ出力する。
【００２８】
第１フォルダ間移動指示部４６および第２フォルダ間移動指示部４８は、前述の第２ボタンをそれぞれ含むように構成されており、ユーザが第２ボタンを押し下げることによって、別のカテゴリフォルダに変更する指示を受けつける。当該指示が、前述の「フォルダ間移動の指示」に相当する。ここで、第１フォルダ間移動指示部４６は、フォルダ番号が増加するようなフォルダ間移動の指示（以下、「第１フォルダ間移動の指示」という）であり、第２フォルダ間移動指示部４８は、フォルダ番号が減少するようなフォルダ間移動の指示（以下、「第２フォルダ間移動の指示」という）である。前者の場合、フォルダ番号は、「１」、「２」の順に変更される。なお、これらのフォルダ間移動の指示は、単に「フォルダ間移動の指示」と総称される。第１フォルダ間移動指示部４６および第２フォルダ間移動指示部４８は、フォルダ間移動の指示を制御部５０へ出力する。
【００２９】
制御部５０は、チャンネル指示部４０から、再生すべきチャンネルに関する指示を入力する。また、制御部５０は、フォルダ内移動指示部４２から、フォルダ内移動の指示を入力する。制御部５０は、第１フォルダ間移動指示部４６および第２フォルダ間移動指示部４８から、フォルダ間移動の指示を入力する。ここで、説明を明瞭にするために、制御部５０には、複数の指示が同時に入力されることはなく、いずれかひとつの指示が入力される。制御部５０は、再生すべきチャンネルに関する指示、フォルダ内移動の指示、フォルダ間移動の指示を送信部５２へ出力する。送信部５２は、制御部５０から、再生すべきチャンネルに関する指示、フォルダ内移動の指示、フォルダ間移動の指示を入力する。送信部５２は、図示しないテレビジョン装置１２へ、再生すべきチャンネルに関する指示、フォルダ内移動の指示、フォルダ間移動の指示を無線信号によって送信する。
【００３０】
図５は、テレビジョン装置１２の構成を示す。テレビジョン装置１２は、受信部６０、装置制御部６２、チューナ部７８、テレビ用モニタ部８０、通信部８２、アンテナ８４を含む。また、装置制御部６２は、分類部６４、第１受付部６６、第２受付部６８、第３受付部７０、チャンネル制御部７２、フォルダ内移動制御部７４、フォルダ間移動制御部７６を含む。
【００３１】
受信部６０は、図示しないコントロール装置１４からの無線信号を受信する。ここで、無線信号は、再生すべきチャンネルに関する指示、フォルダ内移動の指示、フォルダ間移動の指示のいずれかに相当する。受信部６０は、受信した無線信号を分類部６４へ出力する。分類部６４は、受信部６０からの無線信号を入力する。分類部６４は、指示の内容に応じて、無線信号を分類する。分類部６４は、無線信号が再生すべきチャンネルに関する指示であった場合、受信した無線信号を第１受付部６６へ出力する。また、分類部６４は、無線信号がフォルダ内移動の指示であった場合、受信した無線信号を第２受付部６８へ出力する。さらに、分類部６４は、無線信号がフォルダ間移動の指示であった場合、受信した無線信号を第３受付部７０へ出力する。
【００３２】
第１受付部６６は、分類部６４から、再生すべきチャンネルに関する指示が含まれた無線信号を入力する。第１受付部６６は、無線信号の中から、再生すべきチャンネルに関する指示を抽出することによって、再生すべきチャンネル番号を特定する。第１受付部６６は、再生すべきチャンネル番号をチャンネル制御部７２へ出力する。チャンネル制御部７２は、チューナ部７８に対して、チャンネル番号に対応したチャンネルの再生を設定する。
【００３３】
アンテナ８４は、図示しない放送局から送信されたテレビジョン放送の無線信号を受信する。アンテナ８４は、テレビジョン放送の無線信号をチューナ部７８へ出力する。チューナ部７８は、アンテナ８４から、テレビジョン放送の無線信号を入力する。また、チューナ部７８は、チャンネル制御部７２からの指示も入力する。さらに、チューナ部７８は、指示をもとに、テレビジョン放送の無線信号のうち、チャンネル番号に対応したチャンネルを再生する。チャンネルの再生には公知の技術が使用されればよいので、ここでは説明を省略する。チューナ部７８は、再生したチャンネル、つまり再生した番組をテレビ用モニタ部８０へ出力する。テレビ用モニタ部８０は、チューナ部７８から、再生した番組を入力し、再生した番組を表示する。
【００３４】
通信部８２は、図示しない携帯端末装置１０の通信部２２を接続する。通信部８２は、通信部２２へ所定の信号を送信したり、通信部２２からの所定の信号を受信したりする。また、通信部８２は、通信部２２からの再生データを受信し、受信した再生データを装置制御部６２へ出力する。第２受付部６８は、分類部６４から、フォルダ内移動の指示が含まれた無線信号を入力する。第２受付部６８は、無線信号の中からフォルダ内移動の指示を抽出し、フォルダ内移動の指示をフォルダ内移動制御部７４へ出力する。フォルダ内移動制御部７４は、第２受付部６８からのフォルダ内移動の指示を入力する。フォルダ内移動制御部７４は、通信部８２を介してフォルダ内移動の指示に応じた映像データの再生要求（以下、当該再生要求も「フォルダ内移動の指示」という）を図示しない携帯端末装置１０へ出力する。
【００３５】
携帯端末装置１０の制御部２４は、通信部２２を介して、フォルダ内移動の指示を入力する。制御部２４は、記憶部２０を参照して、現在のカテゴリフォルダ内の別の映像データを検索する。例えば、図２の場合、現在のカテゴリフォルダがカテゴリ１フォルダ２００であり、現在の画像データが第１映画データである場合、制御部２４は、第２映画データを検索して特定する。また、制御部２４は、特定した映像データを記憶部２０から読み出して、再生部２６へ出力する。再生部２６は、映像データを再生してから、通信部２２を介して、通信部８２へ再生データを送信する。通信部８２は、通信部８２からの再生データを受信して、装置制御部６２へ再生データを出力する。装置制御部６２は、フォルダ内移動の指示に対する応答として、通信部８２から再生データを入力し、テレビ用モニタ部８０へ再生データを出力する。テレビ用モニタ部８０は、装置制御部６２からの再生データを表示する。
【００３６】
第３受付部７０は、分類部６４から、フォルダ間移動の指示が含まれた無線信号を入力する。第３受付部７０は、無線信号の中からフォルダ間移動の指示を抽出する。前述のごとく、フォルダ間移動の指示には、第１フォルダ間移動の指示と、第２フォルダ間移動の指示の２種類が規定されているので、第３受付部７０は、どちらのフォルダ間移動の指示であるかを特定する。第３受付部７０は、フォルダ間移動の指示をフォルダ間移動制御部７６へ出力する。フォルダ間移動制御部７６は、第３受付部７０からのフォルダ間移動の指示を入力する。なお、前提として、フォルダ間移動制御部７６は、通信部８２を介して、図示しない制御部２４から、記憶部２０に記憶されたフォルダ数の情報を入力している。また、フォルダ間移動制御部７６は、現在指定しているフォルダ番号の情報を管理する。
【００３７】
フォルダ間移動制御部７６は、第１フォルダ間移動の指示を入力した場合、現在のフォルダ番号に１を加算することによって、新たなフォルダ番号を導出する。新たなフォルダ番号がフォルダ数よりも大きくなる場合、フォルダ間移動制御部７６は、フォルダ番号として１を設定する。一方、フォルダ間移動制御部７６は、第２フォルダ間移動の指示を入力した場合、現在のフォルダ番号から１を減算することによって、新たなフォルダ番号を導出する。新たなフォルダ番号が１より小さくなる場合、フォルダ間移動制御部７６は、フォルダ番号としてフォルダ数の値を設定する。フォルダ間移動制御部７６は、通信部８２を介して新たなフォルダ番号に含まれた映像データの再生要求（以下、当該再生要求も「フォルダ間移動の指示」あるいは「新たなフォルダ番号」という）を図示しない携帯端末装置１０へ出力する。
【００３８】
携帯端末装置１０の制御部２４は、通信部２２を介して、新たなフォルダ番号を入力する。制御部２４は、記憶部２０のうち、指定された新たなフォルダ番号のカテゴリフォルダへアクセスする。また、制御部２４は、カテゴリフォルダに格納されたひとつの映像データを読み出して、再生部２６へ出力する。再生部２６は、映像データを再生してから、通信部２２を介して、通信部８２へ再生データを送信する。通信部８２は、新たなフォルダ番号に対する応答して、通信部８２からの再生データを受信して、装置制御部６２へ再生データを出力する。装置制御部６２は、フォルダ間移動の指示に対する応答として、通信部８２から再生データを入力し、テレビ用モニタ部８０へ再生データを出力する。テレビ用モニタ部８０は、装置制御部６２からの再生データを表示する。
【００３９】
図６は、フォルダ間移動制御部７６によるフォルダ間移動の概要を示す。図２と同様に、カテゴリ１フォルダ２００からカテゴリ４フォルダ２０６が、記憶部２０に記憶されている。なお、図２と異なり、カテゴリ２フォルダ２０２には、第１音楽映像データから第４音楽映像データが格納され、カテゴリ４フォルダ２０６には、第１配信映像データから第４配信映像データが格納されている。ここで、前述の第１フォルダ間移動の指示が第１経路２２０に相当する。つまり、ユーザが第１フォルダ間移動指示部４６のボタンを押し下げるごとに、カテゴリ１フォルダ２００、カテゴリ２フォルダ２０２、カテゴリ３フォルダ２０４、カテゴリ４フォルダ２０６、カテゴリ１フォルダ２００の順にカテゴリフォルダが変更される。
【００４０】
一方、前述の第２フォルダ間移動の指示が第２経路２２２に相当する。つまり、ユーザが第２フォルダ間移動指示部４８のボタンを押し下げるごとに、カテゴリ４フォルダ２０６、カテゴリ３フォルダ２０４、カテゴリ２フォルダ２０２、カテゴリ１フォルダ２００、カテゴリ４フォルダ２０６の順にカテゴリフォルダが変更される。また、新たなカテゴリフォルダに移動した際、制御部２４は、最上段の映像データ、例えば、第１映画データ、第１音楽映像データ、第１ＴＶデータ、第１配信映像データを読み出す。
【００４１】
図５の説明に戻って、制御部２４が、記憶部２０のうち、指定された新たなフォルダ番号のカテゴリフォルダへアクセスし、当該カテゴリフォルダに映像データが格納されていない場合、制御部２４は、通信部２２を介して、フォルダ間移動制御部７６へその旨を通知する。フォルダ間移動制御部７６は、新たなフォルダ番号に対する応答として、通信部８２を介して携帯端末装置１０から、変更したカテゴリフォルダには映像データが格納されていない旨を入力する。フォルダ間移動制御部７６は、通信部８２を介して携帯端末装置１０へ、さらに別のカテゴリフォルダへの変更を指示する。
【００４２】
例えば、フォルダ間移動制御部７６は、第１フォルダ間移動の指示を受けつけている場合、新たなフォルダ番号にさらに１を加算することによって、新たなフォルダ番号を再び導出する。また、フォルダ間移動制御部７６は、第２フォルダ間移動の指示を受けつけている場合、新たなフォルダ番号からさらに１を減算することによって、新たなフォルダ番号を再び導出する。フォルダ間移動制御部７６は、通信部８２を介して、新たなフォルダ番号を携帯端末装置１０へ再び送信する。以上の処理は、映像データが格納されたカテゴリフォルダにアクセスするまで、繰り返し実行される。
【００４３】
図７は、フォルダ間移動制御部７６によるフォルダ間移動の別の概要を示す。図７は、図６と同様に示されているが、図２と同様に、カテゴリ２フォルダ２０２およびカテゴリ４フォルダ２０６に映像データが格納されていない。現在のカテゴリフォルダがカテゴリ１フォルダ２００である場合に、フォルダ間移動制御部７６が第１フォルダ間移動の指示を入力すると、図７の第１経路２２０に沿った移動がなされる。そのため、カテゴリ２フォルダ２０２がスキップされて、フォルダ間移動制御部７６は、カテゴリ３フォルダ２０４の第１ＴＶデータに対応した再送データを入力する。
【００４４】
図５の説明に戻って、以上の処理を繰り返し実行した結果、フォルダ間移動制御部７６は、記憶部２０に記憶された複数のカテゴリフォルダのすべてに映像データが格納されていない場合、テレビ用モニタ部８０へ映像データが存在しない旨を表示させる。図８は、テレビ用モニタ部８０に表示された画面を示す。図示のごとく、すべてのカテゴリフォルダに映像データが存在しない場合、テレビ用モニタ部８０は、例えば、「Ｆｉｌｅ ｎｏｔ ｆｏｕｎｄ」と表示し、再生すべき動画データがないことをユーザに認知させる。
【００４５】
なお、図２の映像再生が最初に選択されたとき、装置制御部６２は、通信部８２を介して、携帯端末装置１０の制御部２４からフォルダ数の情報を受けつける。その後、装置制御部６２は、通信部８２を介して、制御部２４へ映像データの出力を指示する。その際、前述のフォルダ間移動の指示がなされた場合の処理と同様に、装置制御部６２は、記憶部２０のうち、映像データが格納されたカテゴリフォルダを検索し、当該映像データを携帯端末装置１０に再生させる。また、装置制御部６２は、通信部８２を介して、再生データを入力し、テレビ用モニタ部８０へ再生データを出力する。
【００４６】
以上の構成による映像表示システム１００の動作を説明する。図９は、映像表示システム１００における映像再生が選択された場合の表示手順を示すシーケンス図である。携帯端末装置１０では、図２の映像再生が選択される（Ｓ１０）。テレビジョン装置１２は、携帯端末装置１０へフォルダ数を問い合わせる（Ｓ１２）。携帯端末装置１０は、テレビジョン装置１２へフォルダ数を応答する（Ｓ１４）。テレビジョン装置１２は、フォルダ数を設定する（Ｓ１６）。テレビジョン装置１２は、映像データの出力を指示する（Ｓ１８）。携帯端末装置１０は、指示に応じて映像データを再生し（Ｓ２０）、再生データをテレビジョン装置１２へ出力する（Ｓ２２）。テレビジョン装置１２は、再生データを表示する（Ｓ２４）。
【００４７】
図１０は、映像表示システム１００におけるフォルダ内移動が指示された場合の表示手順を示すシーケンス図である。携帯端末装置１０は、映像データを再生し（Ｓ３０）、再生データをテレビジョン装置１２へ出力する（Ｓ３２）。テレビジョン装置１２は、再生データを表示する（Ｓ３４）。コントロール装置１４は、ユーザからフォルダ内移動の指示を受けつける（Ｓ３６）。コントロール装置１４は、テレビジョン装置１２へフォルダ内移動を指示する（Ｓ３８）。テレビジョン装置１２は、携帯端末装置１０へフォルダ内移動を指示する（Ｓ４０）。携帯端末装置１０は、新たな映像データを再生する（Ｓ４２）。携帯端末装置１０は、テレビジョン装置１２へ再生データを出力する（Ｓ４４）。テレビジョン装置１２は、再生データを表示する（Ｓ４６）。
【００４８】
図１１は、映像表示システム１００におけるフォルダ間移動が指示された場合の表示手順を示すシーケンス図である。携帯端末装置１０は、映像データを再生し（Ｓ５０）、再生データをテレビジョン装置１２へ出力する（Ｓ５２）。テレビジョン装置１２は、再生データを表示する（Ｓ５４）。コントロール装置１４は、ユーザからフォルダ間移動の指示を受けつける（Ｓ５６）。コントロール装置１４は、テレビジョン装置１２へフォルダ間移動を指示する（Ｓ５８）。テレビジョン装置１２は、携帯端末装置１０へ新たなカテゴリフォルダを指定する（Ｓ６０）。携帯端末装置１０は、新たな映像データを再生する（Ｓ６２）。携帯端末装置１０は、テレビジョン装置１２へ再生データを出力する（Ｓ６４）。テレビジョン装置１２は、再生データを表示する（Ｓ６６）。
【００４９】
図１２は、テレビジョン装置１２における映像再生が選択された場合の表示手順を示すフローチャートである。フォルダ間移動制御部７６は、フォルダ数Ｎを取得する（Ｓ７０）。フォルダ間移動制御部７６は、フォルダ番号Ｘに「１」を代入する（Ｓ７２）。ＸがＮ＋１よりも小さく（Ｓ７４のＹ）、フォルダ番号Ｘのカテゴリフォルダにおける映像データ数が１以上でなければ（Ｓ７６のＮ）、フォルダ間移動制御部７６は、Ｘに１を加算し（Ｓ７８）、ステップ７４へ戻る。一方、フォルダ番号Ｘのカテゴリフォルダにおける映像データ数が１以上であれば（Ｓ７６のＹ）、装置制御部６２は、フォルダ番号Ｘのカテゴリフォルダにおける再生データを入力する（Ｓ８０）。テレビ用モニタ部８０は、再生データを表示する（Ｓ８２）。ＸがＮ＋１よりも小さくなければ（Ｓ７４のＮ）、装置制御部６２は、テレビ用モニタ部８０に「Ｆｉｌｅ  ｎｏｔ  ｆｏｕｎｄ」の文字を表示させる（Ｓ８４）。
【００５０】
図１３は、テレビジョン装置１２に対して第１フォルダ間移動指示部４６による指示がなされた場合の表示手順を示すシーケンス図である。テレビ用モニタ部８０は、再生データを表示する（Ｓ９０）。フォルダ間移動制御部７６は、第１フォルダ間移動の指示を入力する（Ｓ９２）。フォルダ間移動制御部７６は、フォルダ番号Ｘに１を加算する（Ｓ９４）。ＸがＮ＋１よりも小さくなければ（Ｓ９６のＮ）、フォルダ間移動制御部７６は、Ｘに「１」を代入する（Ｓ９８）。ＸがＮ＋１よりも小さければ（Ｓ９６のＹ）、ステップ９８はスキップされる。選択されたカテゴリフォルダにデータが１以上なければ（Ｓ１００のＮ）、ステップ９４へ戻る。一方、選択されたカテゴリフォルダにデータが１以上あれば（Ｓ１００のＹ）、装置制御部６２は、フォルダ番号Ｘのカテゴリフォルダにおける再生データを入力する（Ｓ１０２）。テレビ用モニタ部８０は、再生データを表示する（Ｓ１０４）。
【００５１】
図１４は、テレビジョン装置に対して第２フォルダ間移動指示部４８による指示がなされた場合の表示手順を示すシーケンス図である。テレビ用モニタ部８０は、再生データを表示する（Ｓ１１０）。フォルダ間移動制御部７６は、第２フォルダ間移動の指示を入力する（Ｓ１１２）。フォルダ間移動制御部７６は、フォルダ番号Ｘから１を減算する（Ｓ１１４）。Ｘが１よりも大きくなければ（Ｓ１１６のＮ）、フォルダ間移動制御部７６は、Ｘに「Ｎ」を代入する（Ｓ１１８）。Ｘが１よりも大きければ（Ｓ１１６のＹ）、ステップ１１８はスキップされる。選択されたカテゴリフォルダにデータが１以上なければ（Ｓ１２０のＮ）、ステップ１１４へ戻る。一方、選択されたカテゴリフォルダにデータが１以上あれば（Ｓ１２０のＹ）、装置制御部６２は、フォルダ番号Ｘのカテゴリフォルダにおける再生データを入力する（Ｓ１２２）。テレビ用モニタ部８０は、再生データを表示する（Ｓ１２４）。
【００５２】
本発明の実施例によれば、情報端末装置に記憶された複数のカテゴリフォルダの構成を表示することなく、フォルダ内移動の指示あるいはフォルダ間移動の指示を受けつけた場合に、対応した映像データを自動的に表示できる。また、対応した映像データを自動的に表示するので、ユーザによる映像データの選択動作を省略できる。また、ユーザによる映像データの選択動作が省略されるので、ユーザの操作性を向上できる。また、移動したカテゴリフォルダに映像データが格納されていない場合、さらに別のデータフォルダへの変更を指示するので、ユーザからの新たな指示を不要にできる。また、ユーザからの新たな指示が不要にされるので、ユーザの操作性を向上できる。
【００５３】
また、複数のカテゴリフォルダのすべてに映像データが格納されていなければ、「Ｆｉｌｅ  ｎｏｔ  ｆｏｕｎｄ」という文字を表示するので、ユーザに状況を通知できる。また、複数のカテゴリフォルダのすべてに映像データが格納されていない場合に初めてカテゴリフォルダの状態を表示するので、ユーザの操作性を向上できる。また、テレビジョン画面に楽曲等選択画面を表示する必要がなく、ボタン操作ひとつで別の映像ファイルを再生でき、操作性を向上できる。また、本発明によれば、再生させる映像ファイルがない場合に、ユーザに注意を促せ、無駄な操作を省略できる。
【００５４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５５】
本発明の実施例において、映像表示システム１００は、携帯端末装置１０に記憶された映像データを再生の対象にしている。しかしながらこれに限らず例えば、映像表示システム１００は、映像データではなく音楽データを再生の対象としてもよい。その際、端末用モニタ部３０、テレビ用モニタ部８０の代わりに、図示しないスピーカから、再生された音楽データが出力される。また、複数のカテゴリフォルダのすべてに音楽データが格納されていなければ、スピーカから、その状況を通知する音声、例えば「音楽データが見つかりませんでした」を出力するようにしてもよい。本変形例によれば、さまざまな種類のコンテンツデータに本発明を適用できる。
【図面の簡単な説明】
【００５６】
【図１】本発明の実施例に係る映像表示システムの構成を示す図である。
【図２】図１の携帯情報端末の構成を示す図である。
【図３】図３の記憶部に記憶されたデータの構造を示す図である。
【図４】図１のコントロール装置の構成を示す図である。
【図５】図１のテレビジョン装置の構成を示す図である。
【図６】図５のフォルダ間移動制御部によるフォルダ間移動の概要を示す図である。
【図７】図５のフォルダ間移動制御部によるフォルダ間移動の別の概要を示す図である。
【図８】図５のテレビ用モニタ部に表示された画面を示す図である。
【図９】図１の映像表示システムにおける映像再生が選択された場合の表示手順を示すシーケンス図である。
【図１０】図１の映像表示システムにおけるフォルダ内移動が指示された場合の表示手順を示すシーケンス図である。
【図１１】図１の映像表示システムにおけるフォルダ間移動が指示された場合の表示手順を示すシーケンス図である。
【図１２】図５のテレビジョン装置における映像再生が選択された場合の表示手順を示すフローチャートである。
【図１３】図５のテレビジョン装置に対して第１フォルダ間移動指示部による指示がなされた場合の表示手順を示すシーケンス図である。
【図１４】図５のテレビジョン装置に対して第２フォルダ間移動指示部による指示がなされた場合の表示手順を示すシーケンス図である。
【符号の説明】
【００５７】
１０  携帯端末装置、  １２  テレビジョン装置、  １４  コントロール装置、  ２０  記憶部、  ２２  通信部、  ２４  制御部、  ２６  再生部、  ２８  指示部、  ３０  端末用モニタ部、  ４０  チャンネル指示部、  ４２  フォルダ内移動指示部、  ４６  第１フォルダ間移動指示部、  ４８  第２フォルダ間移動指示部、  ５０  制御部、  ５２  送信部、  ６０  受信部、  ６２  装置制御部、  ６４  分類部、  ６６  第１受付部、  ６８  第２受付部、  ７０  第３受付部、  ７２  チャンネル制御部、  ７４  フォルダ内移動制御部、  ７６  フォルダ間移動制御部、  ７８  チューナ部、  ８０  テレビ用モニタ部、  ８２  通信部、  ８４  アンテナ、  １００  映像表示システム。
【図１】
2009267954.tif 000003
【図２】
2009267954.tif 000004
【図３】
2009267954.tif 000005
【図４】
2009267954.tif 000006
【図５】
2009267954.tif 000007
【図６】
2009267954.tif 000008
【図７】
2009267954.tif 000009
【図８】
2009267954.tif 000010
【図９】
2009267954.tif 000011
【図１０】
2009267954.tif 000012
【図１１】
2009267954.tif 000013
【図１２】
2009267954.tif 000014
【図１３】
2009267954.tif 000015
【図１４】
2009267954.tif 000016